(57)【要約】      （修正有）【課題】古風な住宅又は洋風な住まいに生活している方、又は和風の新築を計画を考えている方には建具の新方式の絵画具が簡単に取替る和洋式化粧フスマを提供する。【解決手段】建具の表面の見える所又は使用する所に変化が無く其の為に張替え又は新品に取り変えるが、此の新しい和洋式化粧フスマは建具の表面の見える所を簡単に幾種類の絵画具に交換出来る事が可能である。【選択図】図１
2014009585.tif 000002
【特許請求の範囲】
【請求項１】
和洋式化粧フスマは日本独特の建築住宅の美又は住宅の間である。人が住生活の中で人生は１００年も生活する、其の間の仕切りを行つて居るのが和風フスマである、新しい和洋式化粧フスマは枠縁を研磨をして化粧材料を使用する、フスマの絵画具を簡単に取り替えが簡単に出来る。
和洋式化粧式フスマ
【請求項２】
和洋式化粧フスマは日本独特の建築住宅の美である。住まいの中の間仕切り又は憩いの役目を行なつて居る、フスマの絵画具の上下左右にピンホ−ル設ける、又化粧ボルトに依り付ける又取替える。絵画具が簡単に入れ替えが出来る。
和洋式化粧フスマ
【請求項３】
和洋式化粧フスマは日本独特の建築住宅の美である。住宅の中の間仕切りをフスマ建具で環境を保持している、新しいスタイルで友禅柄及び西陣織の生地又は畳み表の租地又は日本和紙又はレ−ス生地又は麻の織物生地又は桧の板又は化粧合板を使用する。和洋式化粧フスマ
【請求項４】
和洋式化粧フスマは日本独特の建築住まいの美である。表側の和洋式化粧フスマ絵画具又は和洋式化粧フスマの裏側に絵画具を違つた絵画具をセット出来る、簡単に取替えが出来る。和洋式化粧フスマ
【請求項５】
和洋式化粧フスマの絵柄を作成する、建具の部分に絵画具を取り付けるピンホ−ルにボルトに依る取り付ける、取り付けるボルトを金属又は其の他の素材を使用する。木製、高価な金貴属、を採用して高価なフスマを製造する。
和洋式化粧フスマ
【発明の詳細な説明】
【技術分野】
【０００１】本発明は和風、洋風の建築物の住宅に関する生活環境をアップする又は建築物に依る住生活を向上する為に計画設計する。
【背景技術】
【０００２】住生活に於いて現在は立派な素晴しい建築物がある、又は立派な高価な物件がある此の発明は現在は室内の模様替え又は建具変更は専門家と一緒に成り計画を考えて来た、此の新しい方法では家主又は家族で色柄、絵画具を決める事が出来る。
【発明が解決しようとする課題】
【０００３】本発明は和風式の建築物と洋風建築物の内装の仕上がり１００  ０／０と異なる設計で出来ている、壁材料、建具材料と異なる設計で出来ている。
日本の和風建築の設計設工は価額の設定に依り多難な問題が在る其処で此の和洋式化粧フスマは建具＋絵画＋単価の見積もりが家主＋家族で決定が取り替える事も可能に成る。
【課題を解決すための手段】
【０００４】本発明は和風式洋風式の住宅の建具に関する色彩の考え方について現在は建具メ−カ−のアイデアで一方的に依る商品である。使用又は生活する住人には選べる事は出来なかつた、本発明も絵画の色柄絵又種類を数多く製造する、事に依る簡単に絵画具を選べる事が出来る。
【発明の効果】
【０００５】本発明は洋風式又は和風式の住宅の中で生活する上で室内の間仕切りを考えてプライバシ−の問題、音響の問題、色柄の問題、精神的に落ち付くか環境の問題を全項目満足出来る絵画具の件を解決できる。
和洋式化粧フスマ
【図面の簡単な説明】
【０００６】
【図１】本発明に係る和洋式化粧フスマ本体の実施形態を示す正面図。
【図２】本発明に係る和洋式化粧フスマ本体の実施形態示す側面図。
【図３】本発明に係る和洋式化粧フスマレ−ス生地で障子柄目表示の絵画具。
【図４】本発明に係る和洋式化粧フスマ畳み茣蓙に絵を印刷表示した絵画具。
【図５】本発明に係る和洋式化粧フスマ和風フスマ紙使用する絵画具。
【図６】本発明に係る和洋式化粧フスマ桧板又は化粧合板使用する絵画具。
【図７】本発明に係る和洋式化粧フスマ西陣織物及び友禅織物生地の絵画具。
【図８】本発明に係る和洋式化粧フスマ麻の織物生地の絵画具。
【図９】本発明に係る全体の立面図で又フスマ絵画具を安手する中建具材。
【図１０】本発明に係る全体の一部の構造立面図障子目付け中建具材。
【図１１】本発明に係る全体の一部構造立面図八角構造体の中建具材。
【図１２】本発明に係る和洋式化粧フスマ絵画具の建具に取り付ける化粧ボルト。
【実施例１】
【０００７】以下本発明の好適な形態を図１に基ずいて説明する。【０００８】図１は本発明に係る全体の構造立面図である、桧、杉、又は其の他の化粧木材を用意する、和洋式化粧フスマに適合した、枠及び縁を研磨して枠材に製造する、其の枠縁の中に新方式和洋式化粧フスマ絵画具をピンホ−ルにボルトに依る取り付けて和洋式化粧フスマの姿図である。【００９】図２は本発明に係る構造側面図である桧又は化粧合板で建具本体を作成した和洋式化粧フスマの建具である。【００１０】図３は和洋式化粧フスマ絵画具を作成する材料にレ−ス生地を使用する其のレ−ス生地の寸法の中に和製障子の柄目を縫製に依る縫い込んで障子を表現するま又ピンホ−ルを図面１ように上下左右適当な数のピンホ−ル造り縫製に依り加工する和洋式化粧フスマの絵画具を作成する。【００１１】図４は和洋式化粧フスマの絵画具を作成する、畳専用の畳み茣蓙を使用する畳み茣蓙に絵又は風景画を印刷して縫製に依るピンホ−ルを作成して絵画具として使用する、ピンホ−ルにボルトに依る建具本体にセットする。【００１２】図５は和洋式化粧フスマの絵画具を作成する現在和風の建築住宅に使用する日本フスマ粗材フスマ紙を使用するフスマの建具に取り付ける様にピン−ルホを縫製に依る加工して和洋式化粧フスマ絵画具としてセットする。【００１３】図６は和洋式化粧フスマ絵柄を作成する粗材を桧材又は化粧合板の美しい租材を使用するピンホ−ル又はボルト穴を加工して新方式の和様式化粧フスマ絵画具を作成する。【００１４】図７は和洋式化粧フスマの絵柄の粗材に西陣織物及び友禅織物生地を使用する縫製加工に依りピンホ−ル又はボルト穴作成して和洋式化粧フスマ絵画具を作成する。【００１５】図８は和洋式化粧フスマ絵柄租材に麻の生地を使用する麻の美しい粗材を使用する麻の織り目を小さく織つて仕上げる取り付け穴を縫製加工に依りピンホ−ル又はボルト穴を作成して和洋式化粧フスマ絵画具作成する。
【実施例２】以下本発明の好適な形態を図９に基ずいて説明する。【００１６】図９は本発明に係る全体の構造立面図である、桧杉又は其の他の化粧材を使用する、和洋式化粧フスマに適合した、枠及び縁を研磨して枠材を製造するその枠縁の中に和洋式化粧フスマの絵画具を取り付ける、但し図９立面図は図１の建具図の中に組み込んである。建具は和洋式化粧フスマ絵画具を取り付けて完了する。【００１７】図１０は本発明に係る全体の構造立面図である、杉桧又は其の他の化粧材を使用する、和洋式化粧フスマに適合した、枠及び縁を研磨して枠材を製造する其の枠縁の中に和洋式化粧フスマの絵画具を取り付ける、但し図１０立面図は図１の建具図の中に組み込んである。建具は和洋式化粧フスマ絵画具を取り付けて完了する。【００１８】図１１は本発明に係る全体の構造立面図である、杉桧又は其の他化粧材を使用する、和洋式化粧フスマに適合した、枠及び縁を研磨して枠材を製造する其の枠縁の中に和洋式化粧フスマの絵画具を取り付ける、但し図１１立面図は図１の建具図の中に組み込んである。建具は和洋式化粧フスマ絵画具を取り付けて完了する。【００１９】図１２は本発明に係る和洋式化粧フスマの絵画具を建具材に和洋式化粧フスマに絵画具を取り付ける化粧ボルトである。
【符号の説明】
【００２０】１    和洋式化粧フスマ正面図
２    和洋式化粧フスマ建具材の骨組み
３    和洋式化粧フスマ引手溝
４    和洋式化粧フスマの絵画具を取り付ける取り付け穴
５    和洋式化粧フスマの建具の戸車
６    和洋式化粧フスマのレ−ス生地の絵画具
７    和洋式化粧フスマのレ−ス生地の中の障子の柄目
８    和洋式化粧フスマの畳表に絵柄を書いた畳み表て絵画具
９    和洋式化粧フスマの和製の紙フスマ紙で絵柄を描いた絵画具
１０  和洋式化粧フスマの化粧合板又は桧板又其の他か
木造板で仕上げた絵画具
１１  和洋式化粧フスマの西陣織又は友禅織の生地の絵画具
１２  和洋式化粧フスマの麻の織物の生地の絵画具
１３  和洋式化粧フスマの建具の絵画具と絵画具の（中軸）建具材
１４  和洋式化粧フスマの建具の絵画具と絵画具の（中軸）建具材
１５  和洋式化粧フスマの建具の絵画具と絵画具の（中軸）建具材
１６  和洋式化粧フスマの絵画具を取り付けるボルト又はナット
【図１】
2014009585.tif 000003
【図２】
2014009585.tif 000004
【図３】
2014009585.tif 000005
【図４】
2014009585.tif 000006
【図５】
2014009585.tif 000007
【図６】
2014009585.tif 000008
【図７】
2014009585.tif 000009
【図８】
2014009585.tif 000010
【図９】
2014009585.tif 000011
【図１０】
2014009585.tif 000012
【図１１】
2014009585.tif 000013
【図１２】
2014009585.tif 000014